(57)【特許請求の範囲】
【請求項１】
一端が所定の電極に結線されて、三相交流に対応するように配線されている複数の導線が接続される複数の切替端子を備え、前記切替端子に接続される前記導線の組み合わせが異なる２つの配線パターンに応じて、発電機が出力する三相交流の出力電圧を２段階で切り替える電圧切替板と、
前記発電機の出力電圧が高い第１状態のときに点灯し、前記発電機の出力電圧が低い第２状態のときに消灯するインジケータを、オン状態で点灯させ、オフ状態で消灯させるスイッチと、を有し、
複数の前記切替端子の１つが、接続される前記導線に応じて前記スイッチのオン状態とオフ状態を切り替える機能を有するスイッチ操作機能付端子であって、
前記スイッチをオン状態にする前記導線が前記スイッチ操作機能付端子に接続されたときに前記発電機が前記第１状態に切り替わり、前記スイッチをオフ状態にする前記導線が前記スイッチ操作機能付端子に接続されたときに前記発電機が前記第２状態に切り替わることを特徴とする出力電圧切替装置。
【請求項２】
前記スイッチ操作機能付端子は、接続される前記導線の先端に取り付けられている圧着端子をヘッド部とプレート部材の間に挟み込んで固定し、
前記圧着端子の厚みが第１所定値のときに前記プレート部材が前記スイッチのスイッチ操作部を押圧して前記スイッチをオン状態にし、前記圧着端子の厚みが第１所定値より大きな第２所定値のときに前記プレート部材が前記スイッチ操作部を解放して前記スイッチをオフ状態にし、
前記発電機が前記第１状態のときに前記スイッチ操作機能付端子に接続される前記導線の先端には、前記第１所定値の厚みを有する前記圧着端子が取り付けられ、
前記発電機が前記第２状態のときに前記スイッチ操作機能付端子に接続される前記導線の先端には、前記第２所定値の厚みを有する前記圧着端子が取り付けられていることを特徴とする請求項１に記載の出力電圧切替装置。
【請求項３】
前記ヘッド部に対する前記プレート部材の回転を抑止するためのストッパピンが、前記ヘッド部に形成されていることを特徴とする請求項２に記載の出力電圧切替装置。
【請求項４】
前記第１状態と前記第２状態のいずれにおいても、複数の前記導線の全てが、複数の前記切替端子のどれかに接続されることを特徴とする請求項１から請求項３までのいずれか１項に記載の出力電圧切替装置。
【発明の詳細な説明】
【技術分野】
【０００１】
本発明は、出力電圧切替装置に関する。
【背景技術】
【０００２】
特許文献１には、発電機の出力電圧を切り替える出力電圧切換装置が記載されており、この出力電圧切換装置は、複数の切換端子を複数枚の切換板で接続して出力電圧を切り換えるように構成されている。
特許文献１の出力電圧切換装置は、６枚の切換板で切換端子が接続されたときに発電機の出力電圧が２００Ｖになり、３枚の切換板で切換端子が接続されたときに発電機の出力電圧が４００Ｖになるように構成されている。
【先行技術文献】
【特許文献】
【０００３】
【特許文献１】特開平１０−６６３９６号公報
【発明の概要】
【発明が解決しようとする課題】
【０００４】
特許文献１の出力電圧切換装置は、発電機の出力電圧が２００Ｖのときには６枚の切換板が使用され、発電機の出力電圧が４００Ｖのときには３枚の切換板が使用される。したがって、発電機の出力電圧を４００Ｖにするときに使用されない３枚の切換板が紛失する虞がある。そのため、切換板の紛失を防止するために、３枚の切換板を保管するスペースが必要になるという問題が発生する。
【０００５】
そこで本発明は、紛失する虞のある切換板を使用することなく発電機の出力電圧を切り替えることができ、さらに、発電機の出力電圧を示すインジケータを、出力電圧の切り替えに応じて自動的に点灯および消灯することが可能な出力電圧切替装置を提供することを課題とする。
【課題を解決するための手段】
【０００６】
前記課題を解決するため本発明は、一端が所定の電極に結線されて、三相交流に対応するように配線されている複数の導線が接続される複数の切替端子を備え、前記切替端子に接続される前記導線の組み合わせが異なる２つの配線パターンに応じて、発電機が出力する三相交流の出力電圧を２段階で切り替える電圧切替板と、前記発電機の出力電圧が高い第１状態のときに点灯し、前記発電機の出力電圧が低い第２状態のときに消灯するインジケータを、オン状態で点灯させ、オフ状態で消灯させるスイッチと、を有し、複数の前記切替端子の１つが、接続される前記導線に応じて前記スイッチのオン状態とオフ状態を切り替える機能を有するスイッチ操作機能付端子である出力電圧切替装置とする。そして、前記スイッチをオン状態にする前記導線が前記スイッチ操作機能付端子に接続されたときに前記発電機が前記第１状態に切り替わり、前記スイッチをオフ状態にする前記導線が前記スイッチ操作機能付端子に接続されたときに前記発電機が前記第２状態に切り替わることを特徴とする。
【０００７】
本発明によると、切替端子に接続される導線の組み合わせによって発電機の出力電圧を切り替えることが可能になる。この導線は一端が所定の電極に結線されているため、切替端子から外されたとしても紛失する虞はない。したがって、本発明の出力電圧切替装置は、切替端子から取り外されることがあって紛失しやすい切換板を使用することなく、発電機の出力電圧を切り替えることが可能になる。また、オン状態のときにインジケータを点灯させ、オフ状態のときにインジケータを消灯させるスイッチのオン状態とオフ状態を、スイッチ操作機能付端子に接続される導線に応じて切り替えることができる。そして、発電機の出力電圧が高い状態のときに、スイッチをオン状態にする導線がスイッチ操作機能付端子に接続される構成としてインジケータを点灯させることができる。また、発電機の出力電圧が低い状態のときに、スイッチをオフ状態にする導線がスイッチ操作機能付端子に接続される構成としてインジケータを消灯させることができる。したがって、電圧切替板における導線の配線パターンが変わって発電機の出力電圧が切り替わるときに、自動的にインジケータの点灯と消灯が切り替わる構成とすることができる。
【０００８】
また、本発明の前記スイッチ操作機能付端子は、接続される前記導線の先端に取り付けられている圧着端子をヘッド部とプレート部材の間に挟み込んで固定し、前記圧着端子の厚みが第１所定値のときに前記プレート部材が前記スイッチのスイッチ操作部を押圧して前記スイッチをオン状態にし、前記圧着端子の厚みが第１所定値より大きな第２所定値のときに前記プレート部材が前記スイッチ操作部を解放して前記スイッチをオフ状態にし、前記発電機が前記第１状態のときに前記スイッチ操作機能付端子に接続される前記導線の先端には、前記第１所定値の厚みを有する前記圧着端子が取り付けられ、前記発電機が前記第２状態のときに前記スイッチ操作機能付端子に接続される前記導線の先端には、前記第２所定値の厚みを有する前記圧着端子が取り付けられていることを特徴とする。
【０００９】
本発明によると、スイッチ操作機能付端子に接続される導線の先端に取り付けられる圧着端子の厚みを変えることによって、スイッチのオン状態とオフ状態を切り替えることができる。そして、厚みの薄い圧着端子が取り付けられる導線がスイッチ操作機能付端子に接続されたときにスイッチがオン状態になり、厚みの厚い圧着端子が取り付けられる導線がスイッチ操作機能付端子に接続されたときにスイッチがオフ状態になるように構成できる。
したがって、発電機の出力電圧が高い状態のときに、厚みの薄い圧着端子が取り付けられている導線がスイッチ操作機能付端子に接続される構成とすれば、発電機の出力電圧が高い状態のときにスイッチをオン状態にすることができる。そして、スイッチがオン状態のときにインジケータが点灯する構成とすれば、発電機の出力電圧が高い状態のときにインジケータが点灯する構成とすることができる。
また、発電機の出力電圧が低い状態のときに、厚みの厚い圧着端子が取り付けられている導線がスイッチ操作機能付端子に接続される構成とすれば、発電機の出力電圧が低い状態のときにスイッチをオフ状態にすることができる。そして、スイッチがオフ状態のときにインジケータが消灯する構成とすれば、発電機の出力電圧が低い状態のときにインジケータが消灯する構成とすることができる。
【００１０】
また、本発明は、前記ヘッド部に対する前記プレート部材の回転を抑止するためのストッパピンが、前記ヘッド部に形成されていることを特徴とする。
本発明によると、プレート部材の回転が抑止されるため、スイッチのスイッチ操作部に対するプレート部材の位置が変わることがなく、プレート部材で確実にスイッチ操作部を押圧することができる。
【００１１】
また、本発明は、前記第１状態と前記第２状態のいずれにおいても、複数の前記導線の全てが、複数の前記切替端子のどれかに接続されることを特徴とする。
本発明によると、使用されない導線が通電中の切替端子に不意に接触することが防止されるため、使用されない導線と通電中の切替端子の接触による障害の発生が抑制される。
【発明の効果】
【００１２】
本発明によると、紛失する虞のある切換板を使用することなく発電機の出力電圧を切り替えることができ、さらに、発電機の出力電圧を示すインジケータを、出力電圧の切り替えに応じて自動的に点灯および消灯することが可能な出力電圧切替装置を提供できる。
【図面の簡単な説明】
【００１３】
【図１】発電機とその制御盤を示す斜視図である。
【図２】出力電圧切替装置を示す図である。
【図３】電圧切替板の正面図であり、（ａ）は発電機が第２状態に切り替わる配線パターンを示す図、（ｂ）は発電機が第１状態に切り替わる配線パターンを示す図である。
【図４】（ａ）は片側接続端子の構造を示す図、（ｂ）は両側接続端子の構造を示す図である。
【図５】スイッチ操作機能付端子の構造を示す図である。
【図６】電圧切替板が出力電圧切替装置に取り付けられる構造を示す図である。
【図７】リミットスイッチが基板に備わる状態を示す図である。
【図８】リミットスイッチとプレート部材が取り付けられる構造を示す図である。
【図９】（ａ）はプレート部材がローラレバーを押圧する状態を示す図、（ｂ）はプレート部材がローラレバーを押圧しない状態を示す図である。
【図１０】導線の先端を示す図であり、（ａ）は厚みが「Ｔ２」の圧着端子が導線の先端に取り付けられている状態を示す図、（ｂ）は厚みが「Ｔ１」の圧着端子が導線の先端に取り付けられている状態を示す図である。
【図１１】（ａ）は発電機が第２状態でリミットスイッチがオフ状態になることを示す図、（ｂ）は発電機が第１状態でリミットスイッチがオン状態になることを示す図である。
【発明を実施するための形態】
【００１４】
以下、適宜図を参照して本発明の実施形態を詳細に説明する。
図１は発電機とその制御盤を示す斜視図であり、図２は出力電圧切替装置を示す図である。
図１に示すように、発電機２０の制御盤３０は、筐体２１にヒンジ３１を介して取り付けられ、筐体２１内に配設される出力電圧切替装置１を覆う開閉扉として機能する。また、制御盤３０は止めネジ３２によって筐体２１に締結固定される。したがって、発電機２０の通常の使用時に制御盤３０は出力電圧切替装置１を覆うように筐体２１に固定される。本実施形態の発電機２０は、三相交流発電機であって、三相交流（Ｕ相，Ｖ相，Ｗ相）を出力するように構成されている。
【００１５】
制御盤３０には、発電機２０の出力電圧を表示する電圧計３０ａ、発電機２０の出力電流を表示する電流計３０ｂ、および発電機２０が出力する交流電流の周波数を表示する周波数計３０ｃ、などのメータ類や、発電機２０の動作状態を示すインジケータ（状態表示インジケータ３０ｄ）などが配設されている。
本実施形態の発電機２０は、出力電圧が４００Ｖの状態（以下、第１状態という）と、出力電圧が２００Ｖの状態（以下、第２状態という）の２つの動作状態に切替可能に構成され、状態表示インジケータ３０ｄは第１状態のときに点灯するように構成されている。
【００１６】
筐体２１の内部には、制御盤３０の背面側となる位置に、発電機２０の２つの動作状態（第１状態，第２状態）を切り替えるための出力電圧切替装置１が配設されている。
図２に示すように、出力電圧切替装置１は、筐体２１内に配設されるベース１ａに、電圧切替板２、ブレーカ３などが取り付けられている。そして、制御盤３０（図１参照）が筐体２１（図１参照）の外側に向かって回動したときに出力電圧切替装置１の少なくとも電圧切替板２が露出するように構成されている。
【００１７】
図３は電圧切替板の正面図であり、図３（ａ）は発電機が第２状態に切り替わる配線パターンを示す図、図３（ｂ）は発電機が第１状態に切り替わる配線パターンを示す図である。
図３（ａ），（ｂ）に示すように、電圧切替板２には、基板２ｃに７つの端子（切替端子Ｕ１，Ｖ１，Ｗ１，Ｕ２，Ｖ２，Ｗ２，Ｏ）が配置されており、発電機本体１００が発電した電力が通電する１２本の導線（Ｕ１ｗ，Ｖ１ｗ，Ｗ１ｗ，Ｕ２ｗ，Ｖ２ｗ，Ｗ２ｗ，Ｘ１ｗ，Ｙ１ｗ，Ｚ１ｗ，Ｘ２ｗ，Ｙ２ｗ，Ｚ２ｗ）が各切替端子に接続される。
各導線は、一端が発電機本体１００の電極ＥＬｇまたはブレーカ３の電極ＥＬｂに結線されている。
なお、切替端子Ｕ１，Ｕ２はＵ相に対応し、切替端子Ｖ１，Ｖ２はＶ相に対応し、切替端子Ｗ１，Ｗ２はＷ相に対応する。そして、各導線（Ｕ１ｗ，Ｖ１ｗ，Ｗ１ｗ，Ｕ２ｗ，Ｖ２ｗ，Ｗ２ｗ，Ｘ１ｗ，Ｙ１ｗ，Ｚ１ｗ，Ｘ２ｗ，Ｙ２ｗ，Ｚ２ｗ）は、Ｕ相，Ｖ相，Ｗ相からなる三相交流に対応するように配線されている。
【００１８】
本実施形態では、３本の導線Ｕ１ｗ，Ｖ１ｗ，Ｗ１ｗがブレーカ３の電極ＥＬｂに結線され、他の導線Ｕ２ｗ，Ｖ２ｗ，Ｗ２ｗ，Ｘ１ｗ，Ｙ１ｗ，Ｚ１ｗ，Ｘ２ｗ，Ｙ２ｗ，Ｚ２ｗが発電機本体１００の電極ＥＬｇに結線されている。
なお、導線の本数や各導線の結線先は限定されるものではなく、発電機２０（図１参照）の仕様に基づいて適宜設定されるものとすればよい。
【００１９】
そして、本実施形態の発電機２０（図１参照）は、電圧切替板２の切替端子に接続される導線の組み合わせが異なる２つの配線パターンに応じて、第１状態と第２状態が切り替わるように構成されている。つまり、電圧切替板２は、切替端子（Ｕ１，Ｖ１，Ｗ１，Ｕ２，Ｖ２，Ｗ２，Ｏ）に接続される導線（Ｕ１ｗ，Ｖ１ｗ，Ｗ１ｗ，Ｕ２ｗ，Ｖ２ｗ，Ｗ２ｗ，Ｘ１ｗ，Ｙ１ｗ，Ｚ１ｗ，Ｘ２ｗ，Ｙ２ｗ，Ｚ２ｗ）の組み合わせが異なる２つの配線パターンに応じて、発電機２０の出力電圧を２段階（４００Ｖ，２００Ｖ）で切り替え可能に構成されている。
【００２０】
また、電圧切替板２の基板２ｃには、７つの切替端子（Ｕ１，Ｖ１，Ｗ１，Ｕ２，Ｖ２，Ｗ２，Ｏ）のほか、リミットスイッチ２ａと、リミットスイッチ２ａを操作するためのプレート部材２ｂと、が備わっている。
リミットスイッチ２ａは、オン状態とオフ状態が切り替わるスイッチ（ＯＮ／ＯＦＦスイッチ）である。そして、発電機２０（図１参照）は、リミットスイッチ２ａがオン状態のときに、制御盤３０に備わる状態表示インジケータ３０ｄ（図１参照）が点灯し、リミットスイッチ２ａがオフ状態のときに状態表示インジケータ３０ｄが消灯するように構成されている。
【００２１】
電圧切替板２に配設される７つの切替端子のうち、３つの切替端子Ｕ１，Ｖ１，Ｗ１は同じ構造であり、正面側のみに導線が接続される構造である。また、他の４つの切替端子のうち、切替端子Ｕ２を除く３つの切替端子Ｖ２，Ｗ２，Ｏは同じ構造であり、正面側と背面側に導線が接続される構造である。そして、切替端子Ｕ２は、正面側と背面側に導線が接続され、さらに、プレート部材２ｂを支持するように構成される。なお、図１に示す制御盤３０が開いたときに筐体２１の外部を臨む面を電圧切替板２の正面とし、正面の裏側になる面を背面とする。
【００２２】
そして、切替端子Ｕ２，Ｖ２，Ｗ２の背面側にそれぞれ導線Ｕ２ｗ，Ｖ２ｗ，Ｗ２ｗ（破線）が接続され、切替端子Ｏの背面側に導線Ｘ２ｗ，Ｙ２ｗ，Ｚ２ｗ（破線）が接続される。
また、導線Ｕ１ｗ，Ｖ１ｗ，Ｗ１ｗ，Ｘ１ｗ，Ｙ１ｗ，Ｚ１ｗ（実線）は各切替端子の正面側に接続されるが、その接続位置は第１状態と第２状態で異なっている。つまり、電圧切替板２は、切替端子Ｕ１，Ｖ１，Ｗ１，Ｕ２，Ｖ２，Ｗ２，Ｏに接続される導線Ｕ１ｗ，Ｖ１ｗ，Ｗ１ｗ，Ｘ１ｗ，Ｙ１ｗ，Ｚ１ｗの組み合わせ（配線パターン）の違いで発電機２０（図１参照）の第１状態と第２状態を切り替えるように構成されている。
【００２３】
そして、本実施形態の出力電圧切替装置１（図２参照）は、図３（ａ），（ｂ）に示すように、発電機２０（図１参照）が第１状態および第２状態のいずれであっても、１２本の導線（Ｕ１ｗ，Ｖ１ｗ，Ｗ１ｗ，Ｕ２ｗ，Ｖ２ｗ，Ｗ２ｗ，Ｘ１ｗ，Ｙ１ｗ，Ｚ１ｗ，Ｘ２ｗ，Ｙ２ｗ，Ｚ２ｗ）の全てが７つの切替端子（Ｕ１，Ｖ１，Ｗ１，Ｕ２，Ｖ２，Ｗ２，Ｏ）のどれかに接続される。
したがって、使用されない導線が通電中の切替端子等に不意に接触すること等による障害の発生が抑制される。
【００２４】
本実施形態では、図３（ａ）に示すように、導線Ｕ１ｗ，Ｖ１ｗ，Ｗ１ｗが切替端子Ｕ２，Ｖ２，Ｗ２にそれぞれ接続され、導線Ｘ１ｗ，Ｙ１ｗ，Ｚ１ｗが切替端子Ｏに接続されると発電機２０（図１参照）が第２状態に切り替わり、発電機２０の出力電圧が低くなる（出力電圧が２００Ｖになる）。また、図３（ｂ）に示すように、導線Ｕ１ｗ，Ｖ１ｗ，Ｗ１ｗが切替端子Ｕ１，Ｖ１，Ｗ１にそれぞれ接続され、導線Ｘ１ｗ，Ｙ１ｗ，Ｚ１ｗが切替端子Ｕ２，Ｖ２，Ｗ２にそれぞれ接続されると発電機２０が第１状態に切り替わり、発電機２０の出力電圧が高くなる（出力電圧が４００Ｖになる）。
【００２５】
図４（ａ）は片側接続端子の構造を示す図、図４（ｂ）は両側接続端子の構造を示す図である。また、図５はスイッチ操作機能付端子の構造を示す図である。
図４（ａ）に示すように、切替端子Ｕ１は、正面側に導線（例えば、導線Ｕ１ｗ）が接続される片側接続端子である。切替端子Ｕ１（片側接続端子）は、基板２ｃを貫通する取付孔２ｃ１に、六角ボルトＢ１が平座金ＦＷを介して背面側から挿通され、この六角ボルトＢ１に、正面側から平座金ＦＷ、バネ座金ＳＷを介して２つのナットＮ１が締め込まれて構成される。六角ボルトＢ１に２つのナットＮ１が締め込まれることによって、いわゆるダブルナットの効果が生じ、六角ボルトＢ１が基板２ｃに強固に固定される。
さらに、基板２ｃに２つのナットＮ１で締結固定された六角ボルトＢ１の先端に２枚の平座金ＦＷが嵌め込まれてバネ座金ＳＷとナットＮ１で２枚の平座金ＦＷが締め付けられる。そして、２枚の平座金ＦＷの間に挟み込まれた導線（例えば、導線Ｕ１ｗ）が切替端子Ｕ１に接続される。
なお、切替端子Ｖ１，Ｗ１も片側接続端子であり、切替端子Ｕ１と同様に構成される。
【００２６】
図４（ｂ）に示すように、切替端子Ｖ２は、正面側と背面側の両側に導線（例えば、導線Ｙ１ｗ，Ｖ２ｗ）が接続される両側接続端子である。切替端子Ｖ２（両側接続端子）は、基板２ｃを貫通する取付孔２ｃ１に、スタッドボルトＢ２（雄ネジが加工されたスタッド）が平座金ＦＷを介して背面側から挿通され、このスタッドボルトＢ２に背面側から２つのナットＮ１が締め込まれる。さらに、正面側から平座金ＦＷとバネ座金ＳＷを介して２つのナットＮ１がスタッドボルトＢ２に締め込まれる。また、基板２ｃに４つのナットＮ１で締結固定されたスタッドボルトＢ２の正面側の先端に２枚の平座金ＦＷが嵌め込まれ、バネ座金ＳＷとナットＮ１で２枚の平座金ＦＷが締め付けられる。そして、２枚の平座金ＦＷの間に挟み込まれた導線（例えば、導線Ｙ１ｗ）が切替端子Ｖ２に接続される。さらに、基板２ｃに締結固定されたスタッドボルトＢ２の背面側の先端にも２枚の平座金ＦＷが嵌め込まれてバネ座金ＳＷとナットＮ１で２枚の平座金ＦＷが締め付けられ、２枚の平座金ＦＷの間に挟み込まれた導線（例えば、導線Ｖ２ｗ）が切替端子Ｖ２に接続される。
切替端子Ｖ２は正面側に接続される導線（導線Ｙ１ｗ等）と背面側に接続される導線（導線Ｖ２ｗ等）の間の電気抵抗が小さいことが好ましく、切替端子Ｖ２を構成するスタッドボルトＢ２、平座金ＦＷ、ナットＮ１は電気抵抗が小さい素材（黄銅等）で形成されていることが好ましい。
なお、切替端子Ｗ２，Ｏも両側接続端子であり、切替端子Ｖ２と同様に構成される。
【００２７】
図５に示すように、切替端子Ｕ２は、ボルト部材２ｅがねじ込まれるボルト孔（雌ネジ）２ｄ３が形成されているヘッド部２ｄ１の端部に雄ネジ部２ｄ２が形成されている端子ボルト２ｄが正面側から基板２ｃに取り付けられて構成される。端子ボルト２ｄは、基板２ｃを貫通する取付孔２ｃ１に正面側から挿通される雄ネジ部２ｄ２に、背面側から平座金ＦＷを介して２つのナットＮ１が締め込まれて基板２ｃに締結固定される。さらに、基板２ｃに締結固定された端子ボルト２ｄの雄ネジ部２ｄ２の先端に２枚の平座金ＦＷが嵌め込まれてバネ座金ＳＷとナットＮ１で２枚の平座金ＦＷが締め付けられる。そして、２枚の平座金ＦＷの間に挟み込まれた導線（例えば、導線Ｕ２ｗ）が切替端子Ｕ２に接続される。
【００２８】
また、ヘッド部２ｄ１には、基板２ｃの方向に向かって延設される回転防止ピン２ｄ５が形成され、基板２ｃに開口する係止孔２ｃ２に回転防止ピン２ｄ５が係合するように構成されている。このような構成によって、基板２ｃに対する切替端子Ｕ２の回転が防止される。
【００２９】
また、ヘッド部２ｄ１にはバネ座金ＳＷを介してボルト部材２ｅがねじ込まれ、ボルト部材２ｅによってプレート部材２ｂが端子ボルト２ｄ（ヘッド部２ｄ１）に固定される。ボルト部材２ｅは、先端部の側にネジ部２ｅ１が形成され、ボルトヘッドの側にはネジ部２ｅ１が形成されない軸部２ｅ２を有する六角ボルトであり、ネジ部２ｅ１がヘッド部２ｄ１に形成されるボルト孔２ｄ３にねじ込まれて、ボルト部材２ｅが端子ボルト２ｄに取り付けられる。さらに、プレート部材２ｂがボルト部材２ｅで端子ボルト２ｄ（ヘッド部２ｄ１）に固定され、プレート部材２ｂとヘッド部２ｄ１の間に挟み込まれた導線（例えば、導線Ｘ１ｗ）が切替端子Ｕ２に接続される。
切替端子Ｕ２の背面側に接続される導線（導線Ｕ２ｗ等）と正面側に接続される導線（導線Ｘ１ｗ等）の間の電気抵抗が小さいことが好ましく、切替端子Ｕ２を構成する端子ボルト２ｄ、平座金ＦＷ、ナットＮ１は電気抵抗が小さい素材（黄銅等）で形成されていることが好ましい。さらに、ボルト部材２ｅやプレート部材２ｂも電気抵抗が小さい素材（黄銅等）で形成されていることが好ましい。
【００３０】
なお、詳細は後記するが、切替端子Ｕ２は、正面側に接続される導線に応じてプレート部材２ｂでリミットスイッチ２ａ（図３（ａ）参照）のオン状態とオフ状態を切り替え可能であり、切替端子Ｕ２は、スイッチ操作機能付端子になる。
【００３１】
図６は電圧切替板が出力電圧切替装置に取り付けられる構造を示す図である。
図２に示す電圧切替板２には、図４（ａ），（ｂ）や図５に示す構造の切替端子（Ｕ１，Ｖ１，Ｗ１，Ｕ２，Ｖ２，Ｗ２，Ｏ）が取り付けられるため、図６に示すように、基板２ｃの背面側に切替端子が突出している。そこで、電圧切替板２の基板２ｃは、出力電圧切替装置１のベース１ａから持ち上げられた状態で固定される。例えば、ベース１ａに壁状に立設される脚部材１ｂによって、電圧切替板２がベース１ａから持ち上げられた状態で固定される構成とすればよい。
【００３２】
そして、脚部材１ｂの両端部がベース１ａおよび基板２ｃとそれぞれ面接触するように折れ曲がっている形状であれば、脚部材１ｂとベース１ａ、および脚部材１ｂと基板２ｃ、をそれぞれネジ部材Ｓ１で締結固定することができる。なお、ベース１ａおよび基板２ｃと、脚部材１ｂと、が締結固定以外の固定方法（ロウ付け、溶接等）で固定される構成であってもよい。
【００３３】
図７はリミットスイッチが基板に備わる状態を示す図、図８はリミットスイッチとプレート部材が取り付けられる構造を示す図である。また、図９（ａ）はプレート部材がローラレバーを押圧する状態を示す図、図９（ｂ）はプレート部材がローラレバーを押圧しない状態を示す図である。
【００３４】
図７、図８に示すように、リミットスイッチ２ａは、ローラレバー２ａ１の端部がスイッチ操作部２ａ２の側に向かって押圧されたときにローラレバー２ａ１の端部がスイッチ操作部２ａ２の側に変位して当該スイッチ操作部２ａ２を押下げ操作する。そして、リミットスイッチ２ａは、スイッチ操作部２ａ２が押下げ操作されたときにオン状態になる。また、ローラレバー２ａ１は、端部が解放されたときにスイッチ操作部２ａ２から自動的に離反してスイッチ操作部２ａ２の押下げ操作が解除される。そして、リミットスイッチ２ａは、スイッチ操作部２ａ２の押下げ操作が解除されたときにオフ状態になる。
【００３５】
本実施形態において、リミットスイッチ２ａは基板２ｃの正面側に取り付けられて切替端子Ｕ２の近傍に配設され、端子ボルト２ｄに固定されたプレート部材２ｂがローラレバー２ａ１の端部をスイッチ操作部２ａ２の側に向かって押圧するように構成される。
つまり、リミットスイッチ２ａは、端子ボルト２ｄに固定されたプレート部材２ｂでオン状態に切り替わるように配設されている。
【００３６】
図８に示すように、プレート部材２ｂは、端子ボルト２ｄの位置からリミットスイッチ２ａのローラレバー２ａ１の位置まで延設される。なお、端子ボルト２ｄのヘッド部２ｄ１には、プレート部材２ｂの取り付け位置を規制する位置出しピン２ｄ４が形成され、プレート部材２ｂには位置出しピン２ｄ４が貫通する位置出し孔２ｂ１が形成される。そして、位置出しピン２ｄ４が位置出し孔２ｂ１を貫通するように、プレート部材２ｂが端子ボルト２ｄに取り付けられることによってプレート部材２ｂの取り付け位置が正確に決定され、ローラレバー２ａ１が確実にプレート部材２ｂで押圧される構成になる。
【００３７】
また、位置出しピン２ｄ４が形成されて、プレート部材２ｂの位置出し孔２ｂ１に挿通されることによって、プレート部材２ｂのヘッド部２ｄ１に対する回転が抑止される。したがって、位置出しピン２ｄ４は、プレート部材２ｂのヘッド部２ｄ１に対する回転を抑止するストッパピンとしても機能する。
なお、図８に示すようにプレート部材２ｂの端部を折り曲げることによって、ローラレバー２ａ１の押圧に対する強度を高めることができる。
【００３８】
また、プレート部材２ｂには、ローラレバー２ａ１と接触する位置にポリカーボネートなどの絶縁体を素材とする絶縁シート２ｂ３が貼着等によって取り付けられている。図５に示すように、切替端子Ｕ２に正面側から接続される導線（例えば、導線Ｘ１ｗ）は、端子ボルト２ｄとプレート部材２ｂの間に接続される。プレート部材２ｂは、黄銅等の金属製であるので、プレート部材２ｂとローラレバー２ａ１が直接触れ合わないようにする必要がある。そこで、プレート部材２ｂとローラレバー２ａ１の間に絶縁シート２ｂ３を配し、プレート部材２ｂとローラレバー２ａ１が直接触れ合わない構造とする。
【００３９】
また、プレート部材２ｂに開口してボルト部材２ｅが挿通されるプレート取付孔２ｂ２の直径は、ボルト部材２ｅのネジ部２ｅ１が挿通できる最小の大きさであることが好ましい。例えば、ボルト部材２ｅのネジ部２ｅ１が「Ｍ８」の雄ねじの場合、プレート取付孔２ｂ２の直径を８ｍｍとし、軸部２ｅ２の直径は、ネジ部２ｅ１の直径（８ｍｍ）より細い６ｍｍ程度であることが好ましい。このように、軸部２ｅ２の直径がプレート取付孔２ｂ２の直径より細いと、ネジ部２ｅ１と軸部２ｅ２の段差（直径の差）にプレート部材２ｂが引っ掛かりやすくなるので、ボルト部材２ｅからプレート部材２ｂが脱落しにくい構造になる。したがって、例えば、切替端子Ｕ２への導線の着脱時におけるプレート部材２ｂの紛失を抑止できる。また、プレート取付孔２ｂ２とボルト部材２ｅの軸部２ｅ２の間に隙間が生じるので、ボルト部材２ｅは、プレート部材２ｂに引っ掛かることなく回転できる。したがって、ボルト部材２ｅを端子ボルト２ｄへ締め付ける作業が容易になる。
【００４０】
また、リミットスイッチ２ａの側面に取付孔２ａ３が形成されている場合、当該リミットスイッチ２ａは、側面視が略Ｌ字型を呈するスイッチ取付板５０を介して基板２ｃに固定される。スイッチ取付板５０は、基板２ｃに面接触する基部５０ａからスイッチ固定面５０ｂが略垂直に起立して側面視が略Ｌ字型に形成される。そして、スイッチ固定面５０ｂを貫通するように形成されるスイッチ取付孔５１を挿通するネジ部材Ｓ２が取付孔２ａ３に螺入されてリミットスイッチ２ａがスイッチ取付板５０に固定される。スイッチ取付孔５１は、リミットスイッチ２ａの取り付け位置を、プレート部材２ｂに向かう方向またはプレート部材２ｂから離れる方向に微調整可能な長孔であることが好ましい。
【００４１】
また、基部５０ａには、雄ねじが加工された固定スタッド５２が基板２ｃの側に向かって延設される。そして、基板２ｃに形成される貫通孔２ｃ３を固定スタッド５２が貫通してナットＮ２がねじ込まれ、スイッチ取付板５０が基板２ｃに締結固定される構成とする。基部５０ａには２つ以上の固定スタッド５２が備わることが好ましく、２つ以上の固定スタッド５２によってスイッチ取付板５０の基板２ｃに対する回転が抑止される。
【００４２】
そして、図９（ａ）に示すように、プレート部材２ｂと端子ボルト２ｄの間隙が所定の長さ（第１所定値）「Ｔ１」以下のとき、プレート部材２ｂがローラレバー２ａ１の端部をスイッチ操作部２ａ２の側に向かって押圧し、スイッチ操作部２ａ２が押下げ操作される構成であることが好ましい。つまり、プレート部材２ｂと端子ボルト２ｄの間隙が「Ｔ１」以下のとき、リミットスイッチ２ａがオン状態になることが好ましい。
また、図９（ｂ）に示すように、プレート部材２ｂと端子ボルト２ｄの間隙が第１所定値「Ｔ１」よりも長い所定の長さ（第２所定値）「Ｔ２」以上のとき、プレート部材２ｂがローラレバー２ａ１の端部を押圧せず、スイッチ操作部２ａ２が押下げ操作されない構成であることが好ましい。つまり、プレート部材２ｂと端子ボルト２ｄの間隙が「Ｔ２」以上のとき、リミットスイッチ２ａがオフ状態になることが好ましい。
このような構成であれば、プレート部材２ｂと端子ボルト２ｄの間隙を調節することによって、リミットスイッチ２ａのオン状態とオフ状態を切り替えることができる。
【００４３】
図１０は導線の先端を示す図であり、図１０（ａ）は厚みが「Ｔ２」の圧着端子が導線の先端に取り付けられている状態を示す図、図１０（ｂ）は厚みが「Ｔ１」の圧着端子が導線の先端に取り付けられている状態を示す図である。
また、図１１（ａ）は発電機が第２状態でリミットスイッチがオフ状態になることを示す図、図１１（ｂ）は発電機が第１状態でリミットスイッチがオン状態になることを示す図である。
本実施形態の出力電圧切替装置１（図１参照）は、電圧切替板２（図２参照）の切替端子に接続される導線を変更して発電機２０（図１参照）の出力電圧を変更可能に構成されている。したがって、導線（Ｕ１ｗ，Ｖ１ｗ，Ｗ１ｗ，Ｕ２ｗ，Ｖ２ｗ，Ｗ２ｗ，Ｘ１ｗ，Ｙ１ｗ，Ｚ１ｗ，Ｘ２ｗ，Ｙ２ｗ，Ｚ２ｗ）の先端には圧着端子４０ａ，４０ｂが取り付けられ、切替端子への接続作業が容易になるように構成されている。
【００４４】
そして、図１０（ａ），（ｂ）に示すように、発電機２０（図１参照）が第２状態に設定されるときに正面側から切替端子Ｕ２（図３（ａ）参照）に接続される導線Ｕ１ｗには、他の導線（Ｖ１ｗ，Ｗ１ｗ，Ｕ２ｗ，Ｖ２ｗ，Ｗ２ｗ，Ｘ１ｗ，Ｙ１ｗ，Ｚ１ｗ，Ｘ２ｗ，Ｙ２ｗ，Ｚ２ｗ）に取り付けられる圧着端子４０ａよりも厚みの厚い圧着端子４０ｂが取り付けられている。
具体的に、図１０（ａ）に示すように、導線Ｕ１ｗに取り付けられる圧着端子４０ｂの厚みは「Ｔ２」であり、他の導線に取り付けられる圧着端子４０ａの厚みは、図１０（ｂ）に示すように「Ｔ１」である。そして、「Ｔ２」は「Ｔ１」よりも厚くなっている（Ｔ２＞Ｔ１）。
【００４５】
導線Ｕ１ｗに取り付けられる圧着端子４０ｂの厚み「Ｔ２」は、図９（ｂ）に示すように、リミットスイッチ２ａがオフ状態になるときのプレート部材２ｂと端子ボルト２ｄの間隙（第２所定値）である。また、他の導線に取り付けられる圧着端子４０ａの厚み「Ｔ１」は、図９（ａ）に示すように、リミットスイッチ２ａがオン状態になるときのプレート部材２ｂと端子ボルト２ｄの間隙（第１所定値）である。
【００４６】
したがって、発電機２０（図１参照）が第２状態に設定されるときに導線Ｕ１ｗが切替端子Ｕ２に正面側から接続される場合、図１１（ａ）に示すように、端子ボルト２ｄとプレート部材２ｂの間に導線Ｕ１ｗの圧着端子４０ｂが挟みこまれる。これによって、端子ボルト２ｄとプレート部材２ｂの間隙が圧着端子４０ｂの厚み「Ｔ２」（第２所定値）となり、リミットスイッチ２ａがオフ状態になる。
一方、発電機２０が第１状態に設定されるときに導線Ｘ１ｗが切替端子Ｕ２に正面側から接続される場合、図１１（ｂ）に示すように、端子ボルト２ｄとプレート部材２ｂの間に導線Ｘ１ｗの圧着端子４０ａが挟みこまれる。これによって、端子ボルト２ｄとプレート部材２ｂの間隙が圧着端子４０ａの厚み「Ｔ１」（第１所定値）となり、リミットスイッチ２ａがオン状態になる。
【００４７】
このように、リミットスイッチ２ａは、切替端子Ｕ２に導線Ｕ１ｗが正面側から接続されるとオフ状態になり、切替端子Ｕ２に導線Ｘ１ｗが正面側から接続されるとオン状態になる。つまり、本実施形態の発電機２０（図１参照）は、第２状態に設定されるとリミットスイッチ２ａがオフ状態になり、第１状態に設定されるとリミットスイッチ２ａがオン状態になる。したがって、切替端子Ｕ２に導線Ｕ１ｗが正面側から接続されて発電機２０が第２状態になると制御盤３０の状態表示インジケータ３０ｄ（図１参照）が消灯し、切替端子Ｕ２に導線Ｘ１ｗが正面側から接続されて発電機２０が第１状態になると制御盤３０の状態表示インジケータ３０ｄが点灯する。
【００４８】
例えば、導線Ｕ１ｗに取り付けられる圧着端子４０ｂとして厚みが「３ｍｍ」のものがある。また、導線Ｘ１ｗに取り付けられる圧着端子４０ａとして厚みが「１ｍｍ」のものがある。この場合、切替端子Ｕ２に導線Ｕ１ｗが接続されたときと、切替端子Ｕ２に導線Ｘ１ｗが接続されたときで、端子ボルト２ｄとプレート部材２ｂの間隙には「２ｍｍ」の差が生じる。また、リミットスイッチ２ａには、ローラレバー２ａ１の端部が「１．６ｍｍ」変位したときにスイッチ操作部２ａ２が押下げ操作されるものがある。
このようなリミットスイッチ２ａであれば、切替端子Ｕ２に導線Ｕ１ｗが接続される場合の端子ボルト２ｄとプレート部材２ｂの間隙と、導線Ｘ１ｗが接続される場合の端子ボルト２ｄとプレート部材２ｂの間隙と、の差（２ｍｍ）で、リミットスイッチ２ａのオン状態とオフ状態を切り替えることができる。
【００４９】
以上のように、図２に示す本実施形態の出力電圧切替装置１は、電圧切替板２の切替端子（Ｕ１，Ｖ１，Ｗ１，Ｕ２，Ｖ２，Ｗ２，Ｏ）に接続される導線（Ｕ１ｗ，Ｖ１ｗ，Ｗ１ｗ，Ｕ２ｗ，Ｖ２ｗ，Ｗ２ｗ，Ｘ１ｗ，Ｙ１ｗ，Ｚ１ｗ，Ｘ２ｗ，Ｙ２ｗ，Ｚ２ｗ）の組み合わせの違い（配線パターンの違い）で、発電機２０（図１参照）の第１状態と第２状態を切り替えるように構成されている。
また、発電機２０が第１状態と第２状態のどちらであっても、全ての導線が切替端子のどれかに接続されるため、使用しない導線が通電中の切替端子等に不意に接触すること等による障害の発生を防止できる。また、導線は発電機２０から取り外されることがないため紛失することがない。
【００５０】
また、図１０（ａ）、（ｂ）に示すように、導線Ｕ１ｗの先端に取り付けられる圧着端子４０ｂの厚みは「Ｔ２」（第２所定値）である。したがって、発電機２０（図１参照）が第２状態に設定されるときに導線Ｕ１ｗが切替端子Ｕ２に正面側から接続されると、図１１（ａ）に示されるように、プレート部材２ｂと端子ボルト２ｄの間隙が「Ｔ２」になってリミットスイッチ２ａがオフ状態になる。
また、導線Ｘ１ｗの先端に取り付けられる圧着端子４０ａの厚みは、圧着端子４０ｂの厚み「Ｔ２」よりも薄い「Ｔ１」（第１所定値）である。したがって、発電機２０が第１状態に設定されるときに導線Ｘ１ｗが切替端子Ｕ２に正面側から接続されると、図１１（ｂ）に示されるように、プレート部材２ｂと端子ボルト２ｄの間隙が「Ｔ１」になってリミットスイッチ２ａがオン状態になる。
【００５１】
このように、本実施形態の切替端子Ｕ２は、接続される導線（Ｕ１ｗ，Ｘ１ｗ）に応じてリミットスイッチ２ａのオン状態とオフ状態を切り替える機能を有するスイッチ操作機能付端子である。
【００５２】
本実施形態の発電機２０（図１参照）は、第２状態のときに電圧切替板２の切替端子Ｕ２に導線Ｕ１ｗが正面側から接続され、第１状態のときに切替端子Ｕ２に導線Ｘ１ｗが正面側から接続されるように構成されている。したがって、発電機２０は、第２状態に切り替えられると自動的にリミットスイッチ２ａがオフ状態になり、第１状態に切り替えられると自動的にリミットスイッチ２ａがオン状態になる。
【００５３】
発電機２０は、リミットスイッチ２ａがオフ状態のときに制御盤３０の状態表示インジケータ３０ｄ（図１参照）が消灯する構成であるので、第２状態に切り替えられると自動的に状態表示インジケータ３０ｄが消灯する。また、発電機２０は、リミットスイッチ２ａがオン状態のときに状態表示インジケータ３０ｄが点灯する構成であるので、第１状態に切り替えられると自動的に状態表示インジケータ３０ｄが点灯する。
このように、本実施形態の発電機２０は、第１状態と第２状態の切り替えに応じ、状態表示インジケータ３０ｄの点灯と消灯が自動的に切り替わるように構成されている。
【００５４】
なお、本発明は、発明の趣旨を逸脱しない範囲で適宜設計変更が可能である。
例えば、図３（ａ）に示す切替端子（Ｕ１，Ｖ１，Ｗ１，Ｕ２，Ｖ２，Ｗ２，Ｏ）の配置、図４（ａ），（ｂ）および図５に示す切替端子の構造、図６に示す脚部材１ｂの形状、図８に示すスイッチ取付板５０の形状などは、全て一例に過ぎず、他の配置、構造、形状であってもよい。
また、図８に示すリミットスイッチ２ａに替わって、プッシュスイッチ（図示せず）等が備わる構成であってもよい。
【００５５】
また、本実施形態の発電機２０（図１参照）は三相交流発電機としたが、単相の電力を出力する発電機に本発明を適用することも可能である。
【符号の説明】
【００５６】
１      出力電圧切替装置
２      電圧切替板
２ａ    リミットスイッチ（スイッチ）
２ａ２  スイッチ操作部
２ｂ    プレート部材
２ｄ    端子ボルト
２ｄ１  ヘッド部
２ｄ４  位置出しピン（ストッパピン）
２０    発電機
３０ｄ  状態表示インジケータ（インジケータ）
４０ａ，４０ｂ  圧着端子
ＥＬｂ，ＥＬｇ  電極
Ｔ１    第１所定値
Ｔ２    第２所定値
Ｕ１，Ｖ１，Ｗ１，Ｖ２，Ｗ２，Ｏ  切替端子
Ｕ２    切替端子（スイッチ操作機能付端子）
Ｕ１ｗ，Ｖ１ｗ，Ｗ１ｗ，Ｕ２ｗ，Ｖ２ｗ，Ｗ２ｗ，Ｘ１ｗ，Ｙ１ｗ，Ｚ１ｗ，Ｘ２ｗ，Ｙ２ｗ，Ｚ２ｗ  導線
【図１】
0005935169.tif 000002
【図２】
0005935169.tif 000003
【図３】
0005935169.tif 000004
【図４】
0005935169.tif 000005
【図５】
0005935169.tif 000006
【図６】
0005935169.tif 000007
【図７】
0005935169.tif 000008
【図８】
0005935169.tif 000009
【図９】
0005935169.tif 000010
【図１０】
0005935169.tif 000011
【図１１】
0005935169.tif 000012